(57)【要約】【課題】  サージ吸収素子を簡単かつ確実に組み付けて保持することができると共に、振動等による破損を確実に防止することができる電磁継電器を提供する。【解決手段】  中央部にコイル巻胴部３１ｃを有すると共に、側部３１ｄに端子取付部３１ｅを有した合成樹脂製のボビン３１と、このボビン３１のコイル巻胴部３１ｃに巻き回すと共に、端末を該ボビン３１の端子取付部３１ｅに取り付けられた一対のコイル用端子３３，３３に接続したコイル３４と、一対のコイル用端子３３，３３に一対のリード部４５ｂを接続したサージ吸収素子４５とを備えた電磁継電器において、ボビン３１にサージ吸収素子４５の素子本体４５ａを収納する素子収納箱３２を一体形成し、この素子収納箱３２内に収納したサージ吸収素子４５の一対のリード部４５ｂ，４５ｂを一対のコイル用端子３３，３３に形成した各圧接刃３３ｂにそれぞれ圧接した。【選択図】      図１２
2006210013.tif 000002
【特許請求の範囲】
【請求項１】
中央部にコイル巻胴部を有すると共に、側部に端子取付部を有した樹脂製のボビンと、この樹脂製のボビンのコイル巻胴部に巻き回すと共に、端末を該ボビンの端子取付部に取り付けられたコイル用端子に接続したコイルと、前記コイル用端子にリード部を接続したサージ吸収素子とを備えた電磁継電器において、
前記樹脂製のボビンに前記サージ吸収素子の素子本体を収納する素子収納箱を一体形成し、この素子収納箱内に収納した前記サージ吸収素子のリード部を前記コイル用端子に形成した圧接刃に圧接したことを特徴とする電磁継電器。
【請求項２】
請求項１記載の電磁継電器であって、
前記素子収納箱を角筒状に形成し、この素子収納箱の側壁に所定の間隔を存して前記サージ吸収素子のリード部側の開口部に至る一対のスリットを穿設して弾性を有する素子押さえ部を形成し、この素子押さえ部により前記サージ吸収素子の素子本体を弾性的に保持させたことを特徴とする電磁継電器。
【発明の詳細な説明】
【技術分野】
【０００１】
本発明は、例えば、バリスタ（サイズの大きいサージアブソーバ）等のサージ吸収素子を用いると共に、ヒューズを備えた電磁継電器に関する。
【背景技術】
【０００２】
この種の電磁継電器として、図１７〜図１９に示すものがある（例えば、特許文献１参照。）。
【０００３】
この電磁継電器（リレー）１は、図１７〜図１９に示すように、ベース２の各孔２ａ，２ｂ，２ｃ，２ｄに電磁石３のヨーク３ｃに加締めた接続端子４と各固定接点５ａ，５ｂを有した一対の接点用端子５Ａ，５Ｂ及び一対のコイル用端子６，６をそれぞれ挿入して固定してある。
【０００４】
電磁石３は、ボビン３ａと、このボビン３ａに巻き回されたコイル３ｂと、ボビン３ａに組み付けられて磁路を形成するヨーク３ｃと、このヨーク３ｃに加締められたコア３ｄとから構成されている。このヨーク３ｃには板バネ７を介して可動接点８を取り付けてある。この可動接点８は、コイル３ｂに励磁電流が通電されないときは一方の接点用端子５Ａの固定接点５ａに接触しており、コイル３ｂに励磁電流が通電されたときは他方の接点用端子５Ｂの固定接点５ｂに接触するようになっている。
【０００５】
また、コイル３ｂの両端末Ｓは一対のコイル用端子６，６の各加締片６ａに加締め固着により接続されている。さらに、一対のコイル用端子６，６の各スリット６ｂには抵抗、サージアブソーバ、ダイオード等のサージ吸収素子９の一対のリード部９ｂ，９ｂを加締め固着により強固に接続してある。
【０００６】
【特許文献１】特開平１０−１３４６９２号公報（図１〜図３）
【０００７】
【特許文献２】特開平６−１２９５６号公報
【発明の開示】
【発明が解決しようとする課題】
【０００８】
しかしながら、前記従来の電磁継電器１では、一対のコイル用端子６，６の各スリット６ｂにサージ吸収素子９の一対のリード部９ｂ，９ｂを加締め固着により接続しているため、その接続作業が煩雑であり、また、一対のコイル用端子６，６の各スリット６ｂ，６ｂ間にサージ吸収素子９の一対のリード部９ｂ，９ｂを掛け渡してその素子本体９ａはベース２に保持されていないため、バリスタのようなサイズの大きいサージアブソーバを使用した場合に、振動の影響でサージ吸収素子９の素子本体９ａや各リード部９ｂ等が破損するおそれがあった。
【０００９】
そこで、本発明は、前記した課題を解決すべくなされたものであり、サージ吸収素子を簡単かつ確実に組み付けて保持することができると共に、振動等による破損を確実に防止することができる電磁継電器を提供することを目的とする。
【課題を解決するための手段】
【００１０】
請求項１の発明は、中央部にコイル巻胴部を有すると共に、側部に端子取付部を有した樹脂製のボビンと、この樹脂製のボビンのコイル巻胴部に巻き回すと共に、端末を該ボビンの端子取付部に取り付けられたコイル用端子に接続したコイルと、前記コイル用端子にリード部を接続したサージ吸収素子とを備えた電磁継電器において、前記樹脂製のボビンに前記サージ吸収素子の素子本体を収納する素子収納箱を一体形成し、この素子収納箱内に収納した前記サージ吸収素子のリード部を前記コイル用端子に形成した圧接刃に圧接したことを特徴とする。
【００１１】
請求項２の発明は、請求項１記載の電磁継電器であって、前記素子収納箱を角筒状に形成し、この素子収納箱の側壁に所定の間隔を存して前記サージ吸収素子のリード部側の開口部に至る一対のスリットを穿設して弾性を有する素子押さえ部を形成し、この素子押さえ部により前記サージ吸収素子の素子本体を弾性的に保持させたことを特徴とする。
【発明の効果】
【００１２】
以上説明したように、請求項１の発明によれば、樹脂製のボビンにサージ吸収素子の素子本体を収納する素子収納箱を一体形成し、この素子収納箱内に収納したサージ吸収素子のリード部をコイル用端子に形成した圧接刃に圧接したことにより、サージ吸収素子を素子収納箱に簡単に組み付けて該サージ吸収素子のリード部をコイル用端子の圧接刃に簡単に接続することができる。これにより、振動等によるサージ吸収素子の破損を確実に防止することができる。また、樹脂製のボビンにサージ吸収素子の素子本体を収納する素子収納箱を一体形成したことにより、サージ吸収素子の収納空間をコンパクトにすることができ、電磁継電器全体の小型化を図ることができる。
【００１３】
請求項２の発明によれば、素子収納箱を角筒状に形成し、この素子収納箱の側壁に所定の間隔を存してサージ吸収素子のリード部側の開口部に至る一対のスリットを穿設して弾性を有する素子押さえ部を形成したことにより、素子収納箱に収納したサージ吸収素子を素子押さえ部の弾性力により簡単かつ確実に保持することができ、振動等による破損を確実に防止することができる。
【発明を実施するための最良の形態】
【００１４】
以下、本発明の一実施形態を図面に基づいて説明する。
【００１５】
図１は本発明の一実施形態の電磁継電器を示す斜視図、図２は同電磁継電器の断面図、図３は同電磁継電器の平面図、図４は図３中Ｘ−Ｘ線に沿う断面図、図５は同電磁継電器のケーシングの内部を示す斜視図、図６は同ケーシングを一方のヒューズ用端子に沿って切断した断面図、図７は同ケーシングを他方のヒューズ用端子に沿って切断した断面図、図８は同電磁継電器の電磁リレーユニットを正面側から見た斜視図、図９は同電磁リレーユニットを左コーナ部側から見た斜視図、図１０は同電磁リレーユニットを右側から見た斜視図、図１１は同電磁リレーユニットを後側から見た斜視図、図１２は同電磁継電器のボビンの斜視図、図１３は同ボビンの正面図、図１４は同ボビンの側面図、図１５は同ボビンの平面図、図１６は同ボビンの素子収納箱の拡大断面図である。
【００１６】
図１〜図１１に示すように、電磁継電器（リレー）１０は、底面側に開口部１２を有した箱形で合成樹脂製のケーシング（ベース）１１と、このケーシング１１の開口部１２にゴム製で環状のシール材１８を介して嵌め込まれるベースカバー１９と、ケーシング１１の天井壁１３の内面１３ａの中央に形成された凹部１３ｂに配索される一方のヒューズ用端子２０と、ケーシング１１の天井壁１３の内面１３ａの一方のコーナ部に形成されたボス部１３ｃに係止され、一方のヒューズ用端子２０と所定クリアランスを有して交叉するように配索された他方のヒューズ用端子２４と、ケーシング１１の天井壁１３の内面１３ａの他方のコーナ部に形成されたボス部１３ｄに係止され、他方のヒューズ用端子２４と平行になるように配索されたコ字状の負荷（電源）用端子２９と、ベースカバー１９上の周壁１９ａ内に組み込まれてケーシング１１内に収納される電磁リレーユニット３０とを備えている。
【００１７】
図５〜図１１に示すように、一方のヒューズ用端子２０は、端子本体２０ａの一端２０ｂ側に入力用端子２１を折り曲げ形成してあると共に、該端子本体２０ａの他端２０ｃ側に一対の出力用端子２２，２２を折り曲げ形成してある。この入力用端子２１はケーシング１１の天井壁１３の外面１３ｅに一体突出形成されたヒューズハウジング部（ハウジング部）１４内に突出している。このヒューズハウジング部１４内に突出した入力用端子２１には中継端子２３を介してヒューズ５０の一対の端子部５１，５１の一方が接続されるようになっている。また、一対の出力用端子２２，２２はケーシング１１の天井壁１３の外面１３ｅに一体突出形成されたコネクタハウジング部（ハウジング部）１５内に突出している。
【００１８】
図５、図７及び図９〜図１１に示すように、他方のヒューズ用端子２４は、端子本体２４ａの一端２４ｂ側に入力用端子２５を折り曲げ形成してあると共に、該端子本体２４ａの他端２４ｃ側にコ字状の負荷（電源）用端子２６を折り曲げ形成してある。この入力用端子２５はケーシング１１の天井壁１３の外面１３ｅに一体突出形成されたヒューズハウジング部１４内に突出している。このヒューズハウジング部１４内に突出した入力用端子２５には中継端子２３を介してヒューズ５０の一対の端子部５１，５１の他方が接続されるようになっている。また、図２、図４に示すように、コ字状の負荷用端子２６の下片部２６ａはケーシング１１の天井壁１３の内面１３ａに当接していると共に、該下片部２６ａに形成された丸孔２６ｂには固定接点２７を嵌め込み固定してある。さらに、コ字状の負荷用端子２６の上片部２６ｃはケーシング１１の天井壁１３の外面１３ｅに露出していると共に、該上片部２６ｃに形成された丸孔２６ｄの下面には六角形のボルト２８が嵌め込まれている。
【００１９】
また、図２〜図５に示すように、コ字状の負荷用端子２９の下片部２９ａはケーシング１１の天井壁１３の内面１３ａに当接していると共に、該下片部２９ａに形成された丸孔２９ｂには固定接点２７を嵌め込み固定してある。さらに、コ字状の負荷用端子２９の上片部２９ｃはケーシング１１の天井壁１３の外面１３ｅに露出していると共に、該上片部２９ｃに形成された丸孔２９ｄの下面には六角形のボルト２８が嵌め込まれている。これら各負荷用端子２６，２９の各下片部２６ａ，２９ａと、入力用端子２１と一対の出力用端子２２を構成する端子本体２０ａ、及び、後述するコイル用端子３３の各端子の全ては、ケーシング１１の天井壁１３の内面１３ａ側にそれぞれ配索されている。
【００２０】
図２及び図８〜図１１に示すように、電磁リレーユニット３０は、上下のフランジ部３１ａ，３１ｂの中央部に円筒状のコイル巻胴部３１ｃを一体形成すると共に、上フランジ部３１ａのブロック状の側部３１ｄの前部に一対の端子取付部３１ｅ，３１ｅを一体形成した合成樹脂製のボビン３１と、このボビン３１のコイル巻胴部３１ｃに巻き回されると共に、両端末を該ボビン３１の一対の端子取付部３１ｅ，３１ｅに取り付けられた一対のコイル用端子３３，３３の各電線加締め部３３ａに接続したコイル３４と、ベースカバー１９の周壁１９ａ間の凹部１９ｂ内に嵌め込まれると共に、ボビン３１の底面に沿うように折り曲げられてケーシング１１の天井壁１３の内面１３ａに形成された一対の凹部１３ｆ，１３ｆに先端部３５ａが嵌め込まれるコ字状のフレーム３５と、このフレーム３５の両側部３５ｂ，３５ｂ間に介在されると共に、ボビン３１の上フランジ部３１ａの中央の凹部に嵌め込まれるフランジ受板３６と、ボビン３１の円筒状のコイル巻胴部３１ｃ内に戻り圧縮スプリング（リターンスプリング）３７を介して出没自在に配置されたプランジャ３８と、このプランジャ３８の小径上部３８ａとケーシング１１の天井壁１３の内面１３ａの略中央に形成された凹部１３ｇに介在された圧縮スプリング３９との間に介在され、両側に可動接点４０，４０を固着した可動板（接触子）４１とで構成されている。
【００２１】
図２に示すように、コ字状のフレーム３５の底部３５ｃの中央には円柱状のコア部３５ｄを突設してあり、このコア部３５ｄがボビン３１の円筒状のコイル巻胴部３１ｃ内の下側に嵌め込まれている。そして、コ字状のフレーム３５と該フレーム３５の両側３５ｂ，３５ｂ間に掛け渡されたフランジ受板３６とで磁路が形成されるようになっている。
【００２２】
図２、図８に示すように、プランジャ３８は小径上部３８ａと大径下部３８ｃとの間に円板状のフランジ部３８ｂを一体形成してあり、このプランジャ３８の大径下部３８ｃはボビン３１の円筒状のコイル巻胴部３１ｃ内の上側に摺動自在に支持されている。また、戻り圧縮スプリング３７の圧縮力（付勢力）は圧縮スプリング３９の圧縮力（付勢力）よりも強くなっている。これら各圧縮スプリング３７，３９の付勢力の差により、コイル３４に励磁電流が通電されないときは可動板４１の一対の可動接点４０，４０と一対の固定接点２７，２７は離反しており、コイル３４に励磁電流が通電されたときは、プランジャ３８のフランジ部３８ｂがフランジ受板３６に吸着されて可動板４１が下方へ移動し、一対の可動接点４０，４０が一対の固定接点２７，２７に接触するようになっている。
【００２３】
図８〜図１６に示すように、ボビン３１の上フランジ部３１ａのブロック状の側部３１ｄには四角筒状の素子収納箱３２を一体形成してあり、該素子収納箱３２の後側開口部３２ａよりバリスタ（サージ吸収素子）４５のバリスタ本体（素子本体）４５ａを収納自在にしてある。また、図１０、図１２、図１３に示すように、素子収納箱３２の側壁３２には、所定の間隔を存してバリスタ４５のリード部４５ｂ側の前側開口部３２ｅに至る一対のスリット３２ｃ，３２ｃを穿設して弾性を有する素子押さえ部３２ｄを形成してあり、この素子押さえ部３２ｄによりバリスタ４５のバリスタ本体４５ａを弾性的に保持している。そして、素子収納箱３２の前側開口部３２ｅより外に露出したバリスタ４５の一対のリード部４５ｂ，４５ｂは一対のコイル用端子３３，３３に一体形成した各圧接刃３３ｂにそれぞれ圧接されている。
【００２４】
尚、図１、図３、図６に示すように、ケーシング１１のヒューズハウジング部１４にはスペアヒューズ５０′を収納するスペア収納凹部１４ａを形成してある。このスペアヒューズ５０′は図８〜図１１にのみ図示されている。
【００２５】
以上実施形態の電磁継電器１０によれば、合成樹脂製のボビン３１にバリスタ４５のバリスタ本体４５ａを収納する素子収納箱３２を一体突出形成し、この素子収納箱３２内に収納したバリスタ４５の一対のリード部４５ｂ，４５ｂを一対のコイル用端子３３，３３に形成した各圧接刃３３ｂにそれぞれ圧接したことにより、バリスタ４５を素子収納箱３２に簡単に組み付けて該バリスタ４５の一対のリード部４５ｂ，４５ｂを一対のコイル用端子３３，３３の各圧接刃３３ｂに簡単に接続することができる。これにより、振動等によるバリスタ４５のバリスタ本体４５ａ及び一対のリード部４５ｂ，４５ｂ等の破損を確実に防止することができる。また、合成樹脂製のボビン３１にバリスタ４５のバリスタ本体４５ａを収納する素子収納箱３２を一体形成したことにより、バリスタ４５の収納空間をコンパクトにすることができ、電磁継電器１０全体の小型化を図ることができる。
【００２６】
さらに、素子収納箱の側壁３２には、所定の間隔を存してバリスタ４５のリード部４５ｂ側の前側開口部３２ｅに至る一対のスリット３２ｃ，３２ｃを穿設して弾性を有する素子押さえ部３２ｄを形成したことにより、素子収納箱３２に収納したバリスタ４５のバリスタ本体４５ａを素子押さえ部３２ｄの弾性力により簡単かつ確実に保持することができ、振動等によるバリスタ４５のバリスタ本体４５ａの破損を確実に防止することができる。
【００２７】
尚、前記実施形態によれば、サージ吸収素子としてバリスタ（サイズの大きいサージアブソーバ）を用いたが、抵抗やダイオード等の他のサージ吸収素子を用いても良いことは勿論である。
【図面の簡単な説明】
【００２８】
【図１】本発明の一実施形態の電磁継電器を示す斜視図である。
【図２】上記電磁継電器の断面図である。
【図３】上記電磁継電器の平面図である。
【図４】図３中Ｘ−Ｘ線に沿う断面図である。
【図５】上記電磁継電器のケーシングの内部を示す斜視図である。
【図６】上記ケーシングを一方のヒューズ用端子に沿って切断した断面図である。
【図７】上記ケーシングを他方のヒューズ用端子に沿って切断した断面図である。
【図８】上記電磁継電器の電磁リレーユニットを正面側から見た斜視図である。
【図９】上記電磁リレーユニットを左コーナ部側から見た斜視図である。
【図１０】上記電磁リレーユニットを右側から見た斜視図である。
【図１１】上記電磁リレーユニットを後側から見た斜視図である。
【図１２】上記電磁継電器のボビンの斜視図である。
【図１３】上記ボビンの正面図である。
【図１４】上記ボビンの側面図である。
【図１５】上記ボビンの平面図である。
【図１６】上記ボビンの素子収納箱の拡大断面図である。
【図１７】従来の電磁継電器の斜視図である。
【図１８】上記従来の電磁継電器の分解斜視図である。
【図１９】上記従来の電磁継電器のベースにコイル用端子とサージ吸収素子を組み付けた状態を示す斜視図である。
【符号の説明】
【００２９】
１０  電磁継電器
３１  ボビン
３１ｃ  コイル巻胴部
３１ｄ  側部
３１ｅ  端子取付部
３２  素子収納箱
３２ｂ  側壁
３２ｃ，３２ｃ  一対のスリット
３２ｄ  素子押さえ部
３２ｅ  前側開口部（開口部）
３３  コイル用端子
３３ｂ  圧接刃
３４  コイル
４５  バリスタ（サージ吸収素子）
４５ａ  バリスタ本体（素子本体）
４５ｂ  リード部
【図１】
2006210013.tif 000003
【図２】
2006210013.tif 000004
【図３】
2006210013.tif 000005
【図４】
2006210013.tif 000006
【図５】
2006210013.tif 000007
【図６】
2006210013.tif 000008
【図７】
2006210013.tif 000009
【図８】
2006210013.tif 000010
【図９】
2006210013.tif 000011
【図１０】
2006210013.tif 000012
【図１１】
2006210013.tif 000013
【図１２】
2006210013.tif 000014
【図１３】
2006210013.tif 000015
【図１４】
2006210013.tif 000016
【図１５】
2006210013.tif 000017
【図１６】
2006210013.tif 000018
【図１７】
2006210013.tif 000019
【図１８】
2006210013.tif 000020
【図１９】
2006210013.tif 000021